(57)【要約】      （修正有）【課題】キャビネットラックの設置場所近隣に障害物が設けられていても、キャビネットラックの組み立てや、配線作業が行えるキャビネットラックのパネル取り付け構造を提供する。【解決手段】パネル３の四辺のうち一辺のフレーム２への係止部には係止体６をパネル３の左右側片のいずれか、または、上下片いずれかに設け、係止体６を設けた辺と向かい合う辺にはねじ固定部７を設け、係止体６は断面略コ字状に形成すると共に、フレーム２をガイドするガイド片をテーパー状に設ける。【選択図】図２
2010267848.tif 000002
【特許請求の範囲】
【請求項１】
フレームにパネルを取り付けて成る各種通信機器を収納するためのキャビネットラックのパネル取り付け構造であって、前記パネルの四辺のうち一辺の前記フレームへの係止部には係止体を、該係止体を設けた辺と向かい合う辺にはねじ固定部を設け、前記係止体は断面略コ字状に形成すると共に、前記フレームをガイドするガイド片をテーパー状に設けることを特徴とするキャビネットラックのパネル取り付け構造。
【請求項２】
前記キャビネットラックのパネル取り付け構造であって、前記係止体を前記パネルの左右側辺いずれかに設けたことを特徴とする請求項１に記載のキャビネットラックのパネル取り付け構造。
【請求項３】
前記キャビネットラックのパネル取り付け構造であって、前記係止体を前記パネルの上下辺いずれかに設けたことを特徴とする請求項１に記載のキャビネットラックのパネル取り付け構造。
【発明の詳細な説明】
【技術分野】
【０００１】
本発明は、電気配線シャフトのような狭小スペースに設置されるキャビネットラックのパネル取り付け構造に関するものである。
【背景技術】
【０００２】
キャビネットラックは従来、工場で組み立てられた完成品を設置場所へ運搬していた。ところが、キャビネットラックの設置場所が電気配線シャフトといった狭小スペースであることも多くあり、完成したキャビネットラックを搬入することが困難である場合がある。そのため、現場で組み立てが可能である組み立て式ラックの開発の要望があった。
【先行技術文献】
【特許文献】
【０００３】
【特許文献１】特開２００２−１８５１７０号公報
【発明の概要】
【発明が解決しようとする課題】
【０００４】
キャビネットラックの設置場所の周辺に、広く作業スペースが確保できればよいが、例えば、壁面に分電盤が設置されていたり、物入れが設けられていたりすることもあって、特にこれらの障害物に隣接してキャビネットラックを設置したい場合には、キャビネットラックの組み立て作業はもちろん、配線作業のためにパネルを取り外すことも困難であった。
【課題を解決するための手段】
【０００５】
そこでキャビネットラックの設置場所近隣に障害物が設けられていても、キャビネットラックの組み立てや、配線作業が行えるキャビネットラックのパネル取り付け構造を提供することを目的とし、その構造は、パネルの四辺のうち一辺のフレームへの係止部には係止体を、係止体を設けた辺と向かい合う辺はねじ固定部を設け、係止体は断面略コ字状に形成すると共に、フレームをガイドするガイド片をテーパー状に設けることを特徴とする。
【０００６】
また、係止体をパネルの左右側辺いずれかに設けたことを特徴とする。
【０００７】
また、係止体をパネルの上下辺いずれかに設けたことを特徴とする。
【発明の効果】
【０００８】
本発明に係るキャビネットラックのパネル取り付け構造は、パネルの四辺のうち一辺のフレームへの係止部には係止体を、係止体を設けた辺と向かい合う辺はねじ固定部を設け、係止体は断面略コ字状に形成すると共に、フレームをガイドするガイド片をテーパー状に設けるため、キャビネットラックの設置場所が狭小であって、近隣に障害物があっても、その障害物を避けてパネルの取り付け取り外しが行え、作業性が向上する。
【０００９】
また、係止体をパネルの左右側辺いずれかに設けたため、キャビネットラックの設置場所が狭小であって、近隣に障害物があっても、その障害物を避けてパネルの取り付け取り外しが行え、作業性が向上する。パネルを左方または右方より障害物を避けてフレームに取り付けることができる。
【００１０】
また、係止体をパネルの上下辺いずれかに設けたため、キャビネットラックの設置場所が狭小であって、近隣に障害物があっても、その障害物を避けてパネルの取り付け取り外しが行え、作業性が向上する。パネルを上方または下方より障害物を避けてフレームに取り付けることができる。
【図面の簡単な説明】
【００１１】
【図１】キャビネットラックの姿図である。
【図２】キャビネットラックのパネルの取り付け動作を示す説明図である。
【図３】キャビネットラックのパネルの取り付け動作を示す一部拡大図である。
【図４】キャビネットラックのパネルを示す説明図である。
【発明を実施するための形態】
【００１２】
本発明に係るキャビネットラックのパネル取り付け構造の実施例を図１〜図４の添付図面に基いて説明する。
【００１３】
通信機器や電気機器を収納するキャビネットラック１は、フレーム２で囲まれた側面にパネル３を組み付けて構成される。キャビネットラック１の内側にアングル４を設け、ラックマウント型の機器を直接アングル４に固定したり、台板をアングル４に取り付け、台板に機器を載置することで通信機器や電気機器を収納するものである。
【００１４】
キャビネットラック１は、データセンタや電気配線シャフトに設置されることがある。通常は工場で組み立てて完成品としたキャビネットラック１を運搬する。ところが、もともと狭小の電気配線シャフトに大型のキャビネットラック１を搬入したり、設置場所までの搬入経路が狭いこともよくあることで、現場で容易に組み立てが可能である組み立て式のキャビネットラック１の開発が望まれている。
【００１５】
このような設置場所の現場での組み立てが可能な組み立て式のキャビネットラック１において、特に設置場所付近に分電盤などが設置されている場合のように、障害物があって、キャビネットラック１の現場での組み立て作業や、キャビネットラック１内部の機器への配線作業のときに、自由にパネル３を取り付け取り外しできないことも多く見受けられる。本発明は、キャビネットラック１の設置場所付近に障害物がある場合でもパネル３の取り付け取り外しが行える構造を提供するものである。
【００１６】
フレーム２の間口には、パネル３が引っ掛け可能である引っ掛け部５が断面略コ字状に折曲形成されている。パネル３の四辺のうち一辺には、フレーム２に形成された引っ掛け部５への係止体６を設ける。また、フレーム２に、この係止体６が設けられた辺と向かい合う辺にはねじ固定部７を断面略コ字状に折曲形成する。
【００１７】
また、パネル３側には、引っ掛け部５に対向する位置に係止体６を、ねじ固定部７に対向する位置にねじ挿通孔８を設ける。係止体６は、断面略コ字状に形成されており、フレーム２の引っ掛け部５の外側をスライドしながら組み付けられる。係止体６の先端のガイド片９はテーパー状に形成する。キャビネットラック１の設置場所での組み立てや、キャビネットラック１への配線時にパネル３をフレーム２に取り付けたり取り外したりするとき、近くに分電盤等の障害物があっても、この障害物を避けてパネル３を斜めにフレーム２に差し入れ、係止体６を引っ掛け部５に当接させてガイド片９によりスライドさせる。フレーム２に対して適正な位置にパネル３を移動させて、ねじ固定部７とねじ挿通孔８にねじを挿通し締め付けパネル３をフレーム２に固定する。
【００１８】
請求項２に記載のパネルの取り付け構造では、図１に示すように、請求項１に記載の構造を左右側辺に設け、左右への動作でパネルをフレームに取り付けるものである。例えば、キャビネットラック１の右側面を壁面に接して設置し、キャビネットラック１の背面側の側壁面に分電盤が設置されていたとする。このような位置関係のときに、パネル３の右側辺に設けた係止体を引っ掛け部に係止させテーパー状に形成したガイド片を引っ掛け部に沿わせてパネル３をフレーム２に嵌めこむことができ、作業性の良い構造である。左側辺に設けたねじ固定部とねじ挿通孔８でねじ締めし、パネル３をフレーム２に固定する。
【００１９】
請求項３に記載のパネルの取り付け構造では、請求項１に記載の構造を上下辺に設ける。例えば、キャビネットラックを壁面に接して設置するとする。キャビネットラックの背面側の側壁面の下方に物入れが設置されていたとする。このような位置関係のときに、パネルの下側辺に設けた係止体を引っ掛け部に係止させテーパー状に形成したガイド片を引っ掛け部に沿わせてパネルをフレームに嵌めこむことができ、作業性の良い構造である。上側辺に設けたねじ固定部でねじ締めし、パネルをフレームに固定する。
【符号の説明】
【００２０】
１    キャビネットラック
２    フレーム
３    パネル
４    アングル
５    引っ掛け部
６    係止体
７    ねじ固定部
８    ねじ挿通孔
９    ガイド片
【図１】
2010267848.tif 000003
【図２】
2010267848.tif 000004
【図３】
2010267848.tif 000005
【図４】
2010267848.tif 000006